(57)【特許請求の範囲】
【請求項１】
上面に設けられた取り出し口と、底面に裂開可能に設けられた一対の押上げ片と、を有する薄葉紙収納箱であって、
前記一対の押上げ片は、平行な第１辺および第２辺と、前記第１辺および前記第２辺の近接する一端部を結ぶ分割辺と、
前記第１辺の他端部に連続する第３辺と、前記第３辺と平行かつ対向し、前記第２辺の他端部に連続する第４辺と、を有し、
前記分割辺は、前記第１辺の一端部から伸びる第１直線部と、前記第１直線部と同一直線上に位置し、前記第２辺の一端部から伸びる第２直線部と、前記第１直線部と前記第２直線部とに両端で接続して前記分割辺の中央に設けられ、前記第１直線部に対して前記第４辺の方向に突出する突出部と前記第３辺の方向に突出する突出部とを形成するＳ字状部とから構成され、
前記第１辺の垂線に対する前記第１直線部の傾きが、前記突出部の突出する方向に１５°以上、３０°以下であり、
前記Ｓ字状部と前記第１直線部が連続する部分と前記第１直線部の成す角が鈍角であり、
前記Ｓ字状部の、前記第１直線部の垂直方向に突出する距離が、１ｍｍ以上、１３ｍｍ以下であることを特徴とする薄葉紙収納箱。
【請求項２】
前記Ｓ字状部の、前記第１直線部の垂直方向に突出する距離が、３ｍｍ以上、７ｍｍ以下であることを特徴とする請求項１に記載の薄葉紙収納箱。
【請求項３】
前記第１から第４辺および前記分割辺は、ミシン目によって裂開可能に形成されていることを特徴とする請求項１または２に記載の薄葉紙収納箱。
【請求項４】
前記第１辺および前記第２辺の一端部の延長線上には折り曲げ線が形成されており、
裂開された前記一対の押上げ片は、それぞれ前記折り曲げ線を基端として折り曲げられることを特徴とする請求項１から３いずれか１項に記載の薄葉紙収納箱。
【発明の詳細な説明】
【技術分野】
【０００１】
本発明は、ティッシュペーパーや紙ワイパー等の薄葉紙収納箱に関するものであり、特に薄葉紙収納箱に設けられる押上げ片に関する。
【背景技術】
【０００２】
一般に用いられている薄葉紙収納箱は、２つ折りされた薄葉紙を、互い違いに噛み合わせたようにして積み重ねて収納し、箱の上面に設けた取り出し口から、薄葉紙を１枚ずつ引き出して使用する構造を有する。このような薄葉紙収納箱では、使用中に薄葉紙の残量が少なくなると、薄葉紙収納箱上面の取り出し口と、箱の底に残った薄葉紙積層体との間隔が大きくなるため、薄葉紙を上面の取り出し口から引き出しにくくなる。
【０００３】
そこで、従来から図３に示すように、薄葉紙収納箱１の底面に、ミシン目などにより裂開可能とした一対の押上げ片２、３を設けたものがある。薄葉紙の残量が少なくなると、この押上げ片２、３を箱の内側に押し込み、図４に示すように残った薄葉紙積層体５を押し上げて、上面の取り出し口から引き出し易くすることができる。
【０００４】
薄葉紙収納箱に設ける押上げ片には、特許文献１の図１に示されるように、下面板の長手方向のほぼ中央部に、円弧状切込線により囲まれた１組の押上げ片を設ける構造、および特許文献２、３に開示された一対の押上げ片が薄葉紙収納箱の内側に折り曲げられ、押上げ片の突出部がかみ合い係止する構造などがある。
【０００５】
しかし、特許文献１のような押上げ片の基端が薄葉紙収納箱の底面に支持されているだけのものでは、薄葉紙積層体が押されるなど外力によって押上げ片が変形し易く、安定して薄葉紙積層体を支持できない。
【０００６】
特許文献２、３のように一対の押上げ片が突出部によって係止される構造では、押上げ片が互いに支えあうため強度を向上させることができる。しかし、押上げ片の突出部の強度が弱いと、押上げ片を裂開する際および押上げ片を係止しようとする際などに、突出部が破損し係止できなくなる恐れがある。また、突出部の突出量が大きいと外力に対する耐力は向上するが、押上げ片を係止させる作業が困難になり、逆に突出量が小さいと係止した押上げ片が容易に外れてしまい、安定して薄葉紙積層体を支持することができなくなる。
【０００７】
さらに、一般に薄葉紙収納箱は薄い板紙で形成されている。このため、薄葉紙収納箱の底面に設けられた押上げ片が裂開され内側に折り曲げられると、薄い板紙で形成された薄葉紙収納箱の底面の剛度は低下し、押上げ片を押し込む等の力が加わることにより、幅方向から押上げ片を配置した部分を中心に歪みが発生する。その為、一対の押上げ片の基端となる折り曲げ部付近にも歪みが発生し、その影響で突出部同士がしっかり係合されず押上げ片が容易に外れ薄葉紙積層体を支持できなくなる。
【先行技術文献】
【特許文献】
【０００８】
【特許文献１】特開２００５−２２５５６４号公報
【特許文献２】実公昭５７−５７０２６号公報
【特許文献３】特開平８−９１４５５号公報
【発明の概要】
【発明が解決しようとする課題】
【０００９】
本発明は、このような事情に鑑みてなされたものであり、誰でも容易に組み立てることができると共に、安定して薄葉紙積層体を押し上げる押上げ片が設けられた、薄葉紙収納箱を提供することを目的とする。
【課題を解決するための手段】
【００１０】
上記課題を解決するために本発明の薄葉紙収納箱は、上面に設けられた取り出し口と、底面に裂開可能に設けられた一対の押上げ片と、を有する薄葉紙収納箱であって、前記一対の押上げ片は、平行な第１辺および第２辺と、前記第１辺および前記第２辺の近接する一端部を結ぶ分割辺と、前記第１辺の他端部に連続する第３辺と、前記第３辺と平行かつ対向し、前記第２辺の他端部に連続する第４辺と、を有し、前記分割辺は、前記第１辺の一端部および前記第２辺の一端部から伸びる直線部と、前記分割辺の中央に設けられ、前記第１辺の一端部から伸びる直線部に連続して前記第４辺の方向に突出する突出部を形成し、さらに前記第３辺の方向に突出する突出部を形成して前記第２辺の一端部から伸びる直線部に連続するＳ字状部と、を有し、前記第１辺の垂線に対する前記直線部の傾きが、前記突出部の突出する方向に０°以上、４５°以下であり、前記Ｓ字状部と前記直線部が連続する部分の成す角が９０°以上、１８０°未満であり、前記Ｓ字状部の、前記直線部の垂直方向に突出する距離が、１ｍｍ以上、１３ｍｍ以下であることを特徴とする。
【００１１】
前記直線部の傾きが１５°以上、３０°以下であり、前記Ｓ字状部の、前記直線部の垂直方向に突出する距離が、３ｍｍ以上、７ｍｍ以下であることを特徴とする。
【００１２】
前記第１から第４辺および前記分割辺は、ミシン目によって裂開可能に形成されていることを特徴とする。
【００１３】
前記第１辺および前記第２辺の一端部の延長線上には折り曲げ線が形成されており、裂開された前記一対の押上げ片は、それぞれ前記折り曲げ線を基端として折り曲げられることを特徴とする。
【発明の効果】
【００１４】
本発明によれば、誰でも容易に組み立てることができると共に、安定して薄葉紙積層体を押し上げる押上げ片が設けられた、薄葉紙収納箱を提供することすることができる。
【図面の簡単な説明】
【００１５】
【図１】実施形態の押上げ片の概観図である。
【図２】実施形態の押上げ片を係止させる状態を示す図である。
【図３】従来の押上げ辺の概観図である。
【図４】押し上げ片によって薄葉紙積層体を押し上げた状態を示す図である。
【発明を実施するための形態】
【００１６】
以下に本発明の一実施形態について図１、２に基づき説明する。
【００１７】
本実施形態の薄葉紙収納箱は、上面に取り出し口、底面に裂開可能に設けられた一対の押上げ片を有する。図１は本実施形態の裂開前の一対の押上げ片２、３を示す図である。裂開前の押上げ片２、３は分割辺４で連結された一対の構造を有している。一対の押上げ片２、３は、お互いに平行な第１辺２３および第２辺３３と、その近接する一端部ｅ、ｆを結ぶ分割辺４と、第１辺２３および第２辺３３の一端部ｅ、ｆとは反対側の他端部からそれぞれ平行に伸び、且つ対向する第３辺２２および第４辺３２とを有している。図１では第３辺２２および第４辺３２を、第１辺２３および第２辺３３と略直交するように設けているが、図２に示すように第１辺２３および第２辺３３と斜めに交差するように設けても構わない。
【００１８】
一対の押上げ片２、３の第１から第４辺および分割辺は、ミシン目などによって裂開可能に形成されている。第１辺２３および第２辺３３の一端部ｅ、ｆの延長線上には、第４辺３２および第３辺２２の端部まで折り曲げ線３１、２１が設けられており、裂開された押上げ片２、３は、それぞれ折り曲げ線２１、３１を基端として折り曲げられる。折り曲げ線２１、３１は、溝などで形成することができる。
【００１９】
分割辺４は、図１に示すように第１辺２３の一端部ｅから伸びる直線部と、第２辺３３の一端部ｆから伸びる直線部と、中央部に設けられたＳ字状部とによって構成される。なお、本発明においてＳ字状とは逆Ｓ字状の形状も含む。
【００２０】
Ｓ字状部は第１辺２３の一端部ｅ側に、第４辺３２方向に突出する突出部ｄと、第２辺３３の一端部ｆ側に、第３辺２２方向に突出する突出部ｃから成る。したがって、分割辺４が裂開されると、押上げ片２は突出部ｄを、押上げ片３は突出部ｃを有する。
【００２１】
本実施形態では、押上げ片２、３がそれぞれ直線部から突出する円弧状の突出部を１つだけ備えるので、突出部の強度を確保し、その形状から係止させる突出部を容易に識別することができる。このため、押上げ片を係止する際に突出部が破損したり、間違った場所に突出部を係止したりすることを防ぐことができる。また、Ｓ字状部と直線部が連続する部分ａ、ｂの成す角は、９０°以上、１８０°未満であり、鋭角ではないので押上げ片を裂開する際に突出部が破損することを防止できる。
【００２２】
実施形態の薄葉紙収納箱では、使用中に薄葉紙の残量が少なくなると、図２（ａ）の一対の押上げ片２、３は薄葉紙収納箱１の内側に押し込まれる。押し込まれることにより、第１から第４辺および分割辺は裂開し、押上げ片２、３は、それぞれ折り曲げ線２１、３１を基端にして逆回転方向に折り曲げられる。押上げ片２の第１辺２３および押上げ片３の第２辺３３は、押上げ片２、３の先端部となって薄葉紙を押し上げる。そして、図２（ｂ）のように、押上げ片２のＳ字状部と直線部が連続する部分ｂ１と、押上げ片３のＳ字状部と直線部が連続する部分ａ２とが接近し、突出部が相互に押上げ片に乗り上げる構造となり係止される。
【００２３】
さらに、本実施形態では押上げ片を係止させる作業が容易であり、且つ、押上げ片を裂開し押し込む際に加わる外力などにより生じる薄葉紙収納箱およびその底面の歪みに影響されずに、一対の押上げ片がしっかりと係止されて安定して薄葉紙積層体を支持できる構造とするために、図１に示す第１辺２３の垂線に対する分割辺４の直線部の傾きθを、突出部が突出する側に０°以上、４５°以下とし、より好ましくは１５°以上、３０°以下とする。
【００２４】
直線部の傾きθが０°未満の場合、押上げ片を裂開し押し込むことによる薄葉紙収納箱の底面の剛度低下により、押上げ片の基端部が歪み、押上げ片を押し込んだ後に押上げ片が復元しようとする動きは、まっすぐではなく歪みの影響でやや歪んだものとなる。このため、押上げ片２と押上げ片３はしっかりと係止されずに外れ易くなる。直線部の傾きθが０°以上、４５°以下、より好ましくは１５°以上、３０°以下であれば、押上げ片２と押上げ片３はしっかりと係合され、安定して薄葉紙積層体を支持することができ、薄葉紙収納箱を横置きした状態で使用しても、薄葉紙積層体を安定して支持し、薄葉紙を取り出し口から最後まで容易に引き出すことができる。
【００２５】
また、Ｓ字状部の突出部ｄの直線部から垂直方向の距離ｈを１ｍｍ以上、１３ｍｍ以下とし、より好ましくは３ｍｍ以上、７ｍｍ以下とする。
【００２６】
（評価）
押上げ片を設けた薄葉紙収納箱を作成し、押上げ片を係止させる作業の容易性と係止した押上げ片の強度について評価した。薄葉紙収納箱は厚さ０．１２ｍｍ、０．１９ｍｍ、０．４ｍｍ、０．４７６ｍｍの４種類の紙を材料として作成した。それぞれの材料で作成した薄葉紙収納箱の底に、図１に示す形状の押上げ片を設け、図１に示す傾き角度θを−４５°〜６０°、距離ｈを０．５ｍｍ〜１３ｍｍとし、実際に押上げ片を折り曲げて折り適正を評価した。結果を表１および表２に示す。
【００２７】
【表１】
0006510228.tif 000002
【００２８】
【表２】
0006510228.tif 000003
【００２９】
評価の結果、傾き角度θを、０°〜４５°としたものは、良好な折り適正が得られ、特に１５°〜３０°とした薄葉紙収納箱は優れた折り特性であった。また、距離ｈは、１ｍｍ〜１３ｍｍの範囲で良好な折り適正を示し、特に３ｍｍ〜７ｍｍとした薄葉紙収納箱は優れた折り特性であった。
【００３０】
以上、本発明を実施形態に基づき説明したが、本発明は実施形態に限定されるものではなく、その要旨を逸脱しない範囲で種々変更が可能である。
【符号の説明】
【００３１】
１            薄葉紙収納箱
２、３        押上げ片
４            分割辺
５            薄葉紙積層体
【図１】
0006510228.tif 000004
【図２】
0006510228.tif 000005
【図３】
0006510228.tif 000006
【図４】
0006510228.tif 000007